(57)【要約】【課題】余剰汚泥と食品残渣をムラなく均一に混合することができ、混合物の発酵を促進して堆肥の生産性を高めることができる、堆肥の製造方法及びその製造装置を提供する。【解決手段】この堆肥の製造方法は、排水の生物処理によって発生する余剰汚泥と、食品残渣とから堆肥を製造するものであって、食品残渣を、カッター式粉砕機１０で粉砕する粗粉砕工程と、粗粉砕工程で得られた残渣を、更に石臼式粉砕機２０で粉砕する微粉砕工程と、微粉砕工程で粉砕した食品残渣に余剰汚泥を混合する混合工程と、混合工程で得られた混合物を、脱水機４０で脱水する脱水工程と、脱水工程で脱水した混合物を発酵させて堆肥とする発酵工程と、を含む。【選択図】図１
2018118894.tif 000002
【特許請求の範囲】
【請求項１】
排水の生物処理によって発生する余剰汚泥と、食品残渣とから堆肥を製造する方法であって、
前記食品残渣を、カッター式粉砕機で粉砕する粗粉砕工程と、
前記粗粉砕工程で得られた残渣を、更に石臼式粉砕機で粉砕する微粉砕工程と、
前記微粉砕工程で粉砕した食品残渣に前記余剰汚泥を混合する混合工程と、
前記混合工程で得られた混合物を、脱水機で脱水する脱水工程と、
前記脱水工程で脱水した混合物を発酵させて堆肥とする発酵工程と、
を含むことを特徴とする堆肥の製造方法。
【請求項２】
前記脱水工程における脱水機は、複数の環状板が配置されてなる外胴部と、その内周に回転可能に配置され、螺旋状の羽根を有するスクリューコンベアとを有する、多重板式スクリュープレス脱水機である請求項１記載の堆肥の製造方法。
【請求項３】
前記食品残渣は、カット野菜又は水産加工物の残渣である請求項１又は２記載の堆肥の製造方法。
【請求項４】
排水の生物処理によって発生する余剰汚泥と、食品残渣とから堆肥を製造するための、堆肥の製造装置であって、
前記食品残渣を粗粉砕するカッター式粉砕機と、
前記カッター式粉砕機で粉砕された食品残渣を、更に微粉砕する石臼式粉砕機と、
前記石臼式粉砕機で粉砕された食品残渣に前記余剰汚泥を混合する混合手段と、
前記混合手段で得られた混合物を脱水する脱水機と、
前記脱水機で脱水された混合物を発酵させて堆肥とする発酵処理部と、
を備えていることを特徴とする堆肥の製造装置。
【請求項５】
前記脱水機は、複数の環状板が配置されてなる外胴部と、その内周に回転可能に配置され、螺旋状の羽根を有するスクリューコンベアとを有する、多重板式スクリュープレス脱水機である請求項４記載の堆肥の製造装置。
【発明の詳細な説明】
【技術分野】
【０００１】
本発明は、排水の生物処理によって発生する余剰汚泥と、食品残渣とから堆肥を製造する、堆肥の製造方法及びその製造装置に関する。
【背景技術】
【０００２】
食品工場等では、食材から加工品を生産する際に、食品の屑（食品残渣）が残るが、この食品残渣を廃棄するのではなく、資源として有効に利用とする試みがなされている。その一つとして、下水等の有機性排水を生物処理した場合に生じる余剰汚泥に、食品残渣を混合して、これを発酵することで、堆肥を製造する方法がある。
【０００３】
例えば、下記特許文献１には、生ごみを破砕する工程と、破砕した生ごみを脱水・乾燥する工程と、乾燥後の生ごみから夾雑物を分離する工程と、分離後の生ごみと汚泥とを所定の比率で混合する工程と、混合した生ごみ・汚泥を発酵させて堆肥化する工程と、を備えた、生ごみの堆肥化方法が記載されている。
【０００４】
一方、下記特許文献２には、生ごみを可溶化させる可溶化装置と、可溶化された生ごみの固形分及び液状分の両方が導入されて、これらをし尿や排水の生物処理残渣とともに一時的に貯留する貯留槽と、貯留槽に貯留された貯留物が導入されて、該貯留物を生物処理する生物処理装置と、を備える、有機性廃棄物処理システムが記載されており、その実施形態には、生ごみを粗破砕機で粗く破砕処理した後、この粗破砕された生ごみを、更に微破砕機で細かく砕くことが記載されている（段落００２４参照）。
【先行技術文献】
【特許文献】
【０００５】
【特許文献１】特開２００２−９７０９４号公報
【特許文献２】特開２０１５−１３２６４号公報
【発明の概要】
【発明が解決しようとする課題】
【０００６】
上記特許文献１では、生ごみを破砕して、脱水・乾燥させてから、汚泥と混合して、発酵させて堆肥を得るようにしている。しかし、生ごみを脱水・乾燥させているので、乾燥のための熱エネルギーが必要となり、乾燥時間も必要となる。
【０００７】
また、上記特許文献２では、生ごみを可溶化させて、これをメタン発酵に利用したり、そのまま堆肥化するのに利用することが記載されているが、生ごみと余剰汚泥とを混合して堆肥化することは記載されていない。
【０００８】
したがって、本発明の目的は、食品残渣と余剰汚泥とを混合して、効率よく堆肥を製造できるようにした堆肥の製造方法及びその製造装置を提供することにある。
【課題を解決するための手段】
【０００９】
上記目的を達成するため、本発明の一つは、排水の生物処理によって発生する余剰汚泥と、食品残渣とから堆肥を製造する方法であって、前記食品残渣を、カッター式粉砕機で粉砕する粗粉砕工程と、前記粗粉砕工程で得られた残渣を、更に石臼式粉砕機で粉砕する微粉砕工程と、前記微粉砕工程で粉砕した食品残渣に前記余剰汚泥を混合する混合工程と、前記混合工程で得られた混合物を、脱水機で脱水する脱水工程と、前記脱水工程で脱水した混合物を発酵させて堆肥とする発酵工程と、を含むことを特徴とする。
【００１０】
上記発明によれば、食品残渣を、カッター式粉砕機で粗粉砕し、更に石臼式粉砕機で微粉砕した後、余剰汚泥と混合することにより、余剰汚泥と食品残渣とを均一に混合できると共に、微粉砕された食品残渣を介して余剰汚泥を凝集しやすくすることができ、後の脱水工程における脱水操作を容易に行うことができる。その結果、乾燥等の作業を省略あるいは簡略化して、混合物の固形分濃度を高めることができる。また、微生物によって分解されにくい余剰汚泥に微粉砕された食品残渣が均一に混合されるので、発酵を促進して堆肥の生産性を高めることができる。
【００１１】
本発明の堆肥の製造方法においては、前記脱水工程における脱水機は、複数の環状板が配置されてなる外胴部と、その内周に回転可能に配置され、螺旋状の羽根を有するスクリューコンベアとを有する、多重板式スクリュープレス脱水機であることが好ましい。
【００１２】
この態様によれば、脱水機は、複数の環状板が配置されてなる外胴部と、その内周に回転可能に配置され、螺旋状の羽根を有するスクリューコンベアとを有する、多重板式スクリュープレス脱水機であるので、食品残渣と余剰汚泥からなる混合物であっても、効率よく脱水することができ、乾燥工程等を経なくても固形分濃度の高い混合物を得ることができる。
【００１３】
本発明の堆肥の製造方法においては、前記食品残渣は、カット野菜又は水産加工物の残渣であることが好ましい。この態様によれば、食品残渣は、カット野菜又は水産加工物の残渣であるので、これらを無駄なく活用することができると共に、余剰汚泥と混合したときの発酵を促進することができる。
【００１４】
一方、本発明のもう一つは、排水の生物処理によって発生する余剰汚泥と、食品残渣とから堆肥を製造するための、堆肥の製造装置であって、前記食品残渣を粗粉砕するカッター式粉砕機と、前記カッター式粉砕機で粉砕された食品残渣を、更に微粉砕する石臼式粉砕機と、前記石臼式粉砕機で粉砕された食品残渣に前記余剰汚泥を混合する混合手段と、前記混合手段で得られた混合物を脱水する脱水機と、前記脱水機で脱水された混合物を発酵させて堆肥とする発酵処理部と、を備えていることを特徴とする堆肥の製造装置。
【００１５】
上記発明によれば、食品残渣を、カッター式粉砕機で粗粉砕し、更に石臼式粉砕機で微粉砕した後、混合手段によって余剰汚泥と混合することにより、余剰汚泥と食品残渣とを均一に混合できる。また、この混合物は、微粉砕された食品残渣を介して余剰汚泥が凝集しやすくなっているので、脱水機によって効率よく脱水でき、乾燥等の作業を省略あるいは簡略化して、混合物の固形分濃度を高めることができる。また、発酵処理部にて発酵させる際に、微粉砕された食品残渣が余剰汚泥に均一に混合されているので、余剰汚泥が微生物によって分解されやすくなり、発酵を促進して堆肥の生産性を高めることができる。
【００１６】
本発明の堆肥の製造方法においては、前記脱水機は、複数の環状板が配置されてなる外胴部と、その内周に回転可能に配置され、螺旋状の羽根を有するスクリューコンベアとを有することが好ましい。
【００１７】
上記態様によれば、脱水機は、多重板式スクリュープレス脱水機であるので、食品残渣と余剰汚泥からなる混合物であっても、効率よく脱水することができ、乾燥等の作業を省略あるいは簡略化することができる。
【発明の効果】
【００１８】
本発明によれば、食品残渣を、カッター式粉砕機で粗粉砕し、更に石臼式粉砕機で微粉砕した後、余剰汚泥と混合することにより、余剰汚泥と食品残渣とを均一に混合できると共に、微粉砕された食品残渣を介して余剰汚泥を凝集しやすくすることができ、後の脱水作業を容易に行うことができ、混合物の固形分濃度を高めることができ、また、発酵を促進して堆肥の生産性を高めることができる。
【図面の簡単な説明】
【００１９】
【図１】本発明に係る堆肥の製造方法及びその製造装置の、概略説明図である。
【図２】同製造方法及び製造装置における、粉砕工程の説明図である。
【図３】同製造方法及び製造装置における、脱水工程の説明図である。
【発明を実施するための形態】
【００２０】
以下、図面を参照して、本発明に係る堆肥の製造装置の一実施形態について説明する。
【００２１】
図１に示すように、この実施形態に係る堆肥の製造装置（以下、単に「製造装置」ともいう）は、排水の生物処理によって発生する余剰汚泥と、食品残渣とから堆肥を製造するためのものであって、食品残渣を粗粉砕するカッター式粉砕機１０と、カッター式粉砕機１０で粉砕された食品残渣を、更に微粉砕する石臼式粉砕機２０と、石臼式粉砕機２０で粉砕された食品残渣に、余剰汚泥を混合する混合槽３０と、該混合槽３０で得られた混合物を脱水する脱水機４０と、脱水機４０で脱水された混合物を発酵させて堆肥とする発酵処理部５０とを備えている。
【００２２】
なお、この実施形態における食品残渣は、カット野菜の残渣、又は、水産加工物（例えば、鮭ほぐし、のり佃煮等）の残渣とされているが、これら以外であってもよく、特に限定はされない。
【００２３】
図２に示すように、この製造装置は、上記のような食品残渣を、所定速度で移送する移送手段５を有している。この実施形態の移送手段５は、始端部５ａが下方に配置され、終端部５ｂが斜め上方に向くように配置されている。この移送手段５としては、例えば、スクリューコンベヤを採用することができるが、ベルトコンベア等であってもよく、食品残渣を移送可能であればよい。
【００２４】
上記移送手段５の下流側（終端部５ｂ側）には、食品残渣を粗粉砕するカッター式粉砕機１０が配置されている。この実施形態におけるカッター式粉砕機１０は、上方開口１１ａを設けた有底筒状をなした本体１１と、その底部中央から上方に向けて軸支され、図示しない駆動源により回転する回転軸１２と、この回転軸１２の軸方向に複数固定され、回転軸１２の回転に伴って回転する回転板１３と、該回転板１３の外周に取付けられた回転カッター１４と、この回転カッター１４に対向するように、前記本体１１の内周に固定された固定カッター１５と、前記本体１１の底部から下方に向けて延設されたシュート１７とを有している。また、本体１１の上方開口１１ａの上方には、移送手段５の終端部５ｂが配置されている。
【００２５】
そして、移送手段５の終端部５ｂから、カッター式粉砕機１０の上方開口１１ａに投入された食品残渣は、回転軸１２を介して回転する回転板１３の外周に設けた回転カッター１４と、固定カッター１５とによって、所定サイズに粗粉砕されるようになっている。粗粉砕された食品残渣は、シュート１７を介して本体１１内から排出されて、石臼式粉砕機２０へと移送される。
【００２６】
なお、上記のようなカッター式粉砕機としては、例えば、「ディスクカッターＤＣ−２、ＤＣ−３」（商品名、株式会社グローエンジニアリング製）などを用いることができる。また、カッター式粉砕機としては、上記構造に限定されるものではなく、食品残渣を粉砕可能なカッターを有する粉砕機であればよい。
【００２７】
上記カッター式粉砕機１０の下流側（ここではカッター式粉砕機１０の下方側）には、食品残渣を更に微粉砕する石臼式粉砕機２０が配置されている。この実施形態における石臼式粉砕機２０は、上方に略ラッパ状をなしたホッパー２１ａを設けた本体２１と、本体２１の底部中央に回転可能に配置されて、図示しない駆動源により回転する回転軸２２と、この回転軸２２に固定されて、同回転軸２２の回転に伴って回転する略円盤状の回転グラインダー２３と、回転グラインダー２３の上方に隙間２５を介して配置されると共に、本体２１の内部上方に固定され、中央に開口２４ａを有する略環状をなした固定グラインダー２４と、本体１１の側壁から下方に向けて延設されたシュート２７とを有している。また、前記回転グラインダー２３の中央部には、凹部２３ａが形成されている。更に、前記ホッパー２１ａの上方に、前記カッター式粉砕機１０のシュート１７が位置している。
【００２８】
そして、カッター式粉砕機１０のシュート１７から、ホッパー２１ａを介して、本体２１内に投入された粗粉砕された食品残渣は、固定グラインダー２４の開口２４ａを通じて、回転グラインダー２３の凹部２３ａ内に供給される。更に、粗粉砕された食品残渣は、回転軸２２を介して回転する回転グラインダー２３の遠心力によって、回転グラインダー２３と固定グラインダー２４との間の隙間２５に入り込んで、回転グラインダー２３と固定グラインダー２４とですり潰されるようにして微粉砕されるようになっている。微粉砕された食品残渣は、シュート２７を介して本体２１内から排出されて、残渣収容ボックス２８に収容され、後述する混合槽３０へと移送される。
【００２９】
なお、上記のような石臼式粉砕機としては、例えば、「グローミル」（商品名、株式会社グローエンジニアリング製）などを用いることができる。また、石臼式粉砕機としては、上記構造に限定されるものではなく、食品残渣を微粉砕可能なグラインダーを有する粉砕機であればよい。
【００３０】
また、上記のカッター式粉砕機１０によって、粗粉砕された食品残渣の平均粒径は、３〜１０ｍｍであることが好ましく、３〜５ｍｍであることがより好ましい。なお、本発明において、平均粒径は、篩で分級した後の積分質量をグラフにプロットして得られる５０％質量値を意味する。
【００３１】
また、上記の石臼式粉砕機２０によって微粉砕された食品残渣の平均粒径は、０．１〜０．８ｍｍであることが好ましく、０．１〜０．４ｍｍであることがより好ましい。
【００３２】
次に、混合手段について説明する。この混合手段は、所定の攪拌装置を有する混合槽３０を有している。また、この混合槽３０の上流側には、汚泥貯留槽３１及び汚泥計量槽３２が配置されている。この汚泥貯留槽３１に、下水等の有機性排水を生物処理することによって発生する余剰汚泥が、貯留されるようになっている。また、汚泥貯留槽３１には、配管Ｌ１を介して汚泥計量槽３２が接続されている。この汚泥計量槽３２は、配管Ｌ２を介して混合槽３０に接続されていると共に、配管Ｌ３を介して前記汚泥貯留槽３１に接続されている。
【００３３】
そして、汚泥貯留槽３１から汚泥計量槽３２に供給された余剰汚泥は、石臼式粉砕機２０で微粉砕された食品残渣の、混合槽３０への供給量に応じて、その供給量が計量されて、配管Ｌ２を介して混合槽３０へと供給されるようになっている。なお、必要量以上の余剰汚泥は、配管Ｌ３を介して汚泥貯留槽３１に返送される。更に、混合槽３０には、配管Ｌ４を介して、凝集剤（例えば、アニオン系高分子凝集剤、カチオン系高分子凝集剤等）を供給するための凝集剤添加装置３３が接続されている。そして、混合槽３０に供給された、余剰汚泥と、石臼式粉砕機２０で微粉砕された食品残渣とが、凝集剤を添加した状態で混合されて、混合物が生成されるようになっている。
【００３４】
上記の混合槽３０の下流側には、混合物を脱水するための脱水機４０が配置されている。図３に示すように、この実施形態における脱水機４０は、複数の環状板４４，４５が配置されてなる外胴部４３と、その内周に回転可能に配置され、螺旋状の羽根４６ｂを有するスクリューコンベア４６とを有する、多重板式スクリュープレス脱水機とされている。
【００３５】
詳述すると、この脱水機４０は、横長筒状の本体４１を有しており、この本体４１内に、外胴部４３が配置されている。この外胴部４３は、大径の環状板４４が軸方向（本体４１の長手方向）に沿って所定間隔をあけて配置されていると共に、これらの間に、複数の小径の環状板４５が遊動可能に配置されている。この外胴部４３内に配置されるスクリューコンベア４６は、本体４１の長手方向両端に回転可能に軸支されて、図示しない駆動手段により回転する回転軸４６ａを有しており、この回転軸４６ａの外周に、螺旋状をなした羽根４６ｂが設けられている。そして、スクリューコンベア４６が回転すると、螺旋状の羽根４６ｂが、小径の環状板４５の内周面に摺接して、同環状板４５が偏心回動する。その結果、外胴部４３内に入り込んで、スクリューコンベア４６によって移送される混合物が、環状板４４，４５とスクリューコンベア４６によって圧縮されて、脱水されるようになっている。なお、混合物から脱水された水は、環状板４４と環状板４５との間の隙間から排水される。
【００３６】
また、本体４１の長手方向一端の上方には、混合物を投入するための投入管４１ａが設けられており、更に本体４１の長手方向一端寄りの下方には、混合物から脱水した水を外部に排出するための排水管４１ｂが設けられている。更に、本体４１の長手方向他端の下方側には、脱水された混合物を排出するための、シュート４７が設けられている。なお、この脱水機４０は、混合物の投入側（投入管４１ａ側）が下方で、混合物の排出側（シュート４７側）が上方となるように、傾斜した状態で設置されている。
【００３７】
そして、投入管４１ａを介して本体４１内に投入された混合物は、スクリューコンベア４６によって外胴部４３内に移送されて、外胴部４３内において、下流側へと進行する過程で、上記のように環状板４４，４５とスクリューコンベア４６との圧縮作用で脱水されて、シュート４７から排出されると共に、混合物から脱水された水は、排水管４１ｂを通して本体４１内から排水される。なお、脱水された混合物は、シュート４７を介して混合物収容ボックス４９に収容されて、発酵処理部５０へと移送される。
【００３８】
上記脱水機４０によって、食品残渣と余剰汚泥との混合物の含水量は、９０〜９９質量％とされることが好ましく、９５〜９８質量％とされることがより好ましい。このような含水量とすることにより、混合物を乾燥することなく、あるいは乾燥操作を簡略化して、堆肥製造のための発酵工程を行うことが可能となる。
【００３９】
なお、多重板式スクリュープレス脱水機としては、例えば、「多重板型スクリュープレス汚泥脱水機  ＳＴＰシリーズ」（商品名、新明和工業株式会社製）を用いることができる。また、多重板式スクリュープレス脱水機の構造としては、上記構造に限定されるものではない。更に、この実施形態では、脱水機として多重板式スクリュープレス脱水機を採用したが、例えば、ベルトプレス式や、真空式、遠心分離式等であってもよく、混合物から脱水可能であれば、特に限定はされない。
【００４０】
発酵処理部５０は、上記の脱水機４０の下流側に配置され、前記脱水機４０により脱水された混合物を受け入れて、該混合物を曝気することによって、混合物を発酵させて堆肥とするものである。また、この発酵処理部５０には、曝気ブロワ５１が接続されており、空気が送り込まれるようになっている。
【００４１】
次に、上記製造装置を用いた、本発明に係る堆肥の製造方法の一実施形態について説明する。
【００４２】
この堆肥の製造方法は、食品残渣を、カッター式粉砕機１０で粉砕する粗粉砕工程と、粗粉砕工程で得られた残渣を、更に石臼式粉砕機２０で粉砕する微粉砕工程と、微粉砕工程で粉砕した食品残渣に余剰汚泥を混合する混合工程と、混合工程で得られた混合物を、脱水機４０で脱水する脱水工程と、脱水工程で脱水した混合物を発酵させて堆肥とする発酵工程とを含むものである。
【００４３】
すなわち、まず、食品残渣を、移送手段５の始端部５ａに投入して、所定速度で移送し、その終端部５ｂから、カッター式粉砕機１０の上方開口１１ａに投入する（図２参照）。
【００４４】
そして、投入された食品残渣を、回転軸１２を介して回転する回転板１３の外周に設けた回転カッター１４と、固定カッター１５とによって、所定サイズに粗粉砕する（粗粉砕工程）。
【００４５】
粗粉砕された食品残渣は、シュート１７を介して、石臼式粉砕機２０のホッパー２１ａから投入される。この食品残渣は、固定グラインダー２４の開口２４ａを通じて、回転グラインダー２３の凹部２３ａ内に供給され、回転グラインダー２３の遠心力によって、回転グラインダー２３と固定グラインダー２４との間の隙間２５に入り込んで、両グラインダー２３，２４ですり潰されて、所定サイズに微粉砕する（微粉砕工程）。微粉砕された食品残渣は、シュート２７を介して残渣収容ボックス２８に収容され、混合手段である混合槽３０へと移送される。なお、微粉砕された食品残渣の水分含量は、９０〜９９質量％の範囲に調整されることが好ましい。
【００４６】
一方、排水の生物処理によって発生する余剰汚泥は、一旦、汚泥貯留槽３１に貯留され、配管Ｌ１を介して汚泥計量槽３２へと供給されて、該汚泥計量槽３２で必要量が計量され、配管Ｌ２を介して混合槽３０へ供給される。また、凝集剤添加装置３３から配管Ｌ４を介して、混合槽３０に凝集剤が供給される。なお、供給される余剰汚泥の水分含量は、９０〜９９質量％に調整されることが好ましい。
【００４７】
そして、混合手段である混合槽３０において、微粉砕工程で得られた食品残渣に、余剰汚泥を、凝集剤を添加した状態で混合することで、混合物を生成する（混合工程）。なお、食品残渣と余剰汚泥との混合比（質量比）は、特に限定されないが、食品残渣：余剰汚泥＝１：１〜５が好ましく、食品残渣；余剰汚泥＝１：１〜３がより好ましい。また、混合物の水分含量は、９０〜９９質量％に調整されることが好ましい。
【００４８】
次いで、上記混合工程で得られた混合物を、脱水機４０の投入管４１ａを介して、本体４１内に投入する（図３参照）。混合物は、スクリューコンベア４６によって外胴部４３内に移送され、外胴部４３内において下流側へと進行する過程で、環状板４４，４５とスクリューコンベア４６との圧縮作用で脱水する（脱水工程）。脱水した混合物は、シュート４７を介して混合物収容ボックス４９に収容され、発酵処理部５０へと移送される。なお、脱水した混合物の水分含量がなおかつ高い場合には、適宜方法によって乾燥させて含水量を低下させた後、発酵処理部５０へ移送してもよい。また、脱水機４０にて脱水された混合物の水分含量は、７０〜９０質量％であることが好ましく、７５〜８５質量％であることがより好ましい。
【００４９】
そして、発酵処理部５０において、混合物を、曝気ブロワ５１から供給された空気によって曝気することで、発酵させて堆肥を得ることができる（発酵工程）。発酵は、常法により行えばよいが、例えば６０〜９０日間発酵させることにより、肥料として適した堆肥を製造することができる。最終的に得られる堆肥の水分含量は、４０〜８０質量％であることが好ましく、４０〜６０質量％であることがより好ましい。
【００５０】
以上説明したように、この堆肥の製造方法においては、食品残渣を、カッター式粉砕機１０で粗粉砕し、更に石臼式粉砕機２０で微粉砕した後、余剰汚泥と混合することにより、余剰汚泥と食品残渣とをバラツキを少なくして均一に混合することができると共に、微粉砕された食品残渣を介して余剰汚泥を凝集しやすくすることができ、後の脱水工程における脱水作業を容易に行うことができる。すなわち、カッター式粉砕機１０で粗粉砕後、石臼式粉砕機２０によって、食品残渣をすり潰すようにして微粉砕したので、食品残渣の粒径を揃えやすくすることができ、それによって、バラツキが少なく均一な、食品残渣と余剰汚泥との混合物を得ることができる。その結果、脱水後の乾燥等の作業を省略あるいは簡略化して、混合物の固形分濃度を高めることができる。また、微生物によって分解されにくい余剰汚泥に、微粉砕された食品残渣が均一に混合されるので、発酵を促進して堆肥の生産性を高めることができる。
【００５１】
また、この実施形態においては、脱水工程における脱水機４０は、複数の環状板４４，４５が配置されてなる外胴部４３と、その内周に回転可能に配置され、螺旋状の羽根４６ｂを有するスクリューコンベア４６とを有する、多重板式スクリュープレス脱水機であるので、食品残渣と余剰汚泥からなる混合物であっても、効率よく脱水することができ、乾燥工程等を経なくても固形分濃度の高い混合物を得ることができる。
【００５２】
更に、この実施形態においては、食品残渣は、カット野菜又は水産加工物の残渣であるので、これらを無駄なく活用することができると共に、余剰汚泥と混合したときの発酵を促進することができる。
【００５３】
なお、本発明は、上述した実施形態に限定されるものではなく、本発明の要旨の範囲内で、各種の変形実施形態が可能であり、そのような実施形態も本発明の範囲に含まれる。
【符号の説明】
【００５４】
５  移送手段
５ａ  始端部
５ｂ  終端部
１０  カッター式粉砕機
１１  本体
１１ａ  上方開口
１２  回転軸
１３  回転板
１４  回転カッター
１５  固定カッター
１７  シュート
２０  石臼式粉砕機
２１  本体
２１ａ  ホッパー
２２  回転軸
２３  回転グラインダー
２３ａ  凹部
２４  固定グラインダー
２４ａ  開口
２５  隙間
２７  シュート
２８  残渣収容ボックス
３０  混合槽
３１  汚泥貯留槽
３２  汚泥計量槽
３３  凝集剤添加装置
４０  脱水機
４１  本体
４１ａ  投入管
４１ｂ  排水管
４３  外胴部
４４，４５  環状板
４６  スクリューコンベア
４６ａ  回転軸
４６ｂ  羽根
４７  シュート
４９  混合物収容ボックス
５０  発酵処理部
５１  曝気ブロワ
Ｌ１  配管
Ｌ２  配管
Ｌ３  配管
Ｌ４  配管
【図１】
2018118894.tif 000003
【図２】
2018118894.tif 000004
【図３】
2018118894.tif 000005